(57)【要約】【課題】表面にＤＬＣ膜を形成した使用時に人体皮膚が接触する物品を提供すること。【解決手段】本発明は、使用時に人体皮膚が接触する物品において、前記物品の表面に炭素を主成分としたダイヤモンドライクカーボン膜を備えた物品である。このため、物品の表面を光沢のある黒色に着色することができ、商品性を向上することができる。【選択図】図１
2009122247.tif 000002
【特許請求の範囲】
【請求項１】
使用時に人体皮膚が接触する物品において、
前記物品の表面に炭素を主成分としたダイヤモンドライクカーボン膜を備えたことを特徴とする物品。
【請求項２】
前記使用時に人体皮膚が接触する物品は、眼鏡のフレームであることを特徴とする請求項１に記載の物品。
【請求項３】
前記使用時に人体皮膚が接触する物品は、ドアノブであることを特徴とする請求項１に記載の物品。
【請求項４】
前記使用時に人体皮膚が接触する物品は、ドアハンドルであることを特徴とする請求項１に記載の物品。
【請求項５】
前記使用時に人体皮膚が接触する物品は、レバーハンドルであることを特徴とする請求項１に記載の物品。
【発明の詳細な説明】
【技術分野】
【０００１】
本発明は、眼鏡やドアノブのような使用時に人体皮膚が接触する物品の改良に関するものである。
【背景技術】
【０００２】
使用時に人体皮膚が接触する物品の表面に、商品性の向上を図る目的で着色した被膜を形成する技術がある。
【発明の開示】
【発明が解決しようとする課題】
【０００３】
しかしながら、使用時に人体皮膚が接触する物品にあっては、皮膚に接触による違和感を与えず耐摩耗性があり、油成分の付着がなく、さらに黒色の光沢のある表面をもつものがなかった（特許文献１、２参照）。
【特許文献１】特開平６−１６７６７９
【特許文献２】特開２００５−１８８０４５  本発明は、使用時に人体皮膚が接触する物品への黒色の光沢のある被膜のコーティングを実現することを目的とする。
【課題を解決するための手段】
【０００４】
本発明は、使用時に人体皮膚が接触する物品において、前記使用時に人体皮膚が接触する物品の表面に炭素を主成分としたダイヤモンドライクカーボン膜を備えた物品である。
【発明の効果】
【０００５】
本発明によると、使用時に人体皮膚が接触する物品の表面にダイヤモンドライクカーボン膜を備えたので、物品の表面を黒色の光沢ある被膜で覆うことが可能となる。したがって、商品の見栄えを良くし商品性を高める効果が得られる。さらに、皮膚にダイヤモンドライクカーボン膜が接するので、皮膚に接触による違和感を与えることがない。また、表面の耐摩耗性を向上し、膜内に汗等の油成分が浸透し、皮膚に油成分の付着がない。フレームを構成する金属表面を炭素を主体としたＤＬＣ膜で覆うため、静電気や金属アレルギーを防止する効果も期待できる。
【発明を実施するための最良の形態】
【０００６】
以下、本発明の実施形態を添付図面に基づいて説明する。
【０００７】
使用時に人体皮膚が接触する物品として、たとえば腕時計ケース、腕時計バンド、ベルトのバックル、指輪、ネックレス、ブレスレット、イヤリング、ペンダント、ブローチ、ネクタイ止め、眼鏡のフレーム、カメラのボディ、ドアノブなどが挙げられる。
【０００８】
図１は、使用時に人体皮膚が接触する物品の一つである眼鏡のフレーム１の外観図である。
【０００９】
図１を参照すると、フレーム１は、レンズを支持するリム２と、一対のリム２をつなぐブリッジ３と、鼻に当接するノーズパッド４と、ブリッジ３とノーズパッド４とをつなぐクリングス５と、リム２とヒンジ６を介して接続し、前後方向に延びる左テンプル７ａと右テンプル７ｂと、この左テンプル７ａと右テンプル７ｂのそれぞれの端部に設けられた耳に架かるモダン８とを備える。リム２とブリッジ３とクリングス５と左右のテンプル７ａ、７ｂは金属製で、ノーズパッド４とモダン８は樹脂により構成される。
【００１０】
フレーム１は、掛け心地のよさと共にデザインが重要であり、デザインの一つの要因として色合いがある。色合いは、種々の表面処理により、フレーム１の表面に施すことが可能である。しかしながら、これまでの表面処理技術では、フレーム１上に商品性のある黒色の光沢のある表面処理を施すことが困難であった。
【００１１】
そこで、本発明の要旨とするところであるが、フレーム１の表面に炭素を主成分としたアモルファス構造体からなるダイヤモンドライクカーボン膜（以下、ＤＬＣ膜）１０を形成する。ＤＬＣ膜１０は、炭素を主成分として形成されており、その色合いは、黒色で光沢があり、フレーム１上に黒色の光沢のある表面処理を施すことができる。なお、ＤＬＣ膜１０の厚さは、例えば３μｍ以下である。
【００１２】
ＤＬＣ膜１０は、アンバランスド・マグネトロン・スパッタ法（以下、「ＵＢＭスパッタ法」と称する）によって形成される。
【００１３】
図２と図３を参照すると、ＵＢＭスパッタ法の原理は、アルゴン等の不活性ガスを導入した真空中でターゲット４１を陰極として陽極の間でグロー放電させてプラズマを形成し、このプラズマ中のイオンをターゲット４１に衝突させてターゲット４１の原子を弾き飛ばし、この原子をターゲット４１と対向して配置されたワーク２１（フレーム１）上に堆積させて被膜を形成するようになっている。
【００１４】
ＵＢＭスパッタ法は、さらにターゲット４１の中心部と周辺部で異なる磁気特性を有する磁場４２、４３を備えたスパッタ蒸発源４０ａ〜４０ｄがプラズマを形成しつつ強力な磁場４２により磁力線を発生し、発生した磁力線の一部がワーク２１の近傍に達し、ワーク２１にバイアス電圧を印加することによって、ターゲット４１を構成する物質をワーク２１上に堆積する。
【００１５】
図３は、ＵＢＭスパッタ法に用いる装置５０の基本構成を示す。真空チャンバ５１には４つのスパッタ蒸発源４０ａ〜４０ｄが設けられる。その中央に配置された自公転式ワークテーブル５６上にワーク２１が置かれ、ワーク２１にコーティングが行われる。スパッタ蒸発源４０ａ〜４０ｄには被膜材料となる平板状ターゲットが取り付けられる。真空チャンバ５１にはアルゴン等の不活性ガスとメタンガス等の炭化水素ガスが所定量充填される。
【００１６】
スパッタ蒸発源４０ａ、４０ｃにはターゲットとしてグラファイトを使用し、スパッタ蒸発源４０ｂ、４０ｄにはターゲットとして金属を使用する。
【００１７】
以上のように構成されたメガネフレーム１の作用を、次に説明する。
【００１８】
フレーム１の素材として用いられる金属材料やプラスチック材料等の表面にＵＢＭスパッタ法によりＤＬＣ膜１０を形成する。ＤＬＣ膜１０をフレーム１の表面に形成することにより、ＤＬＣ膜特有の光沢のある黒色でフレーム１の表面が覆われ、高級感を醸し出し、商品性を向上させることができる。ＤＬＣ膜１０は高硬度であるから、傷がつきにくく、耐摩耗性を向上するという効果もある。皮膚にＤＬＣ膜１０が接するので、皮膚に接触による違和感を与えることがない。また、ＤＬＣ膜１０内に汗等の油成分が浸透し、皮膚に油成分の付着がない。さらにフレームを構成する金属表面を炭素を主体としたＤＬＣ膜１１で覆うため、静電気や金属アレルギーを防止する効果も期待できる。
【００１９】
図４は、第２の実施形態としてのドアノブ１１の外観図である。
【００２０】
ドアノブ１１は、不図示のドアに取り付けられる取付部１２と、ドア開閉時に把持されるノブ部１３と、取付部１２とノブ部１３との間に位置し、ドアノブ１１の開閉機構を覆う中間部１４とから構成される。
【００２１】
従来、ドアノブ１１の多くは、アルミ材から形成され、その表面は着色されることなく、地金の色のまま用いられることが多い。一方、商品性向上の観点から着色されたドアノブ１１が要求されつつある。しかしながら、ドアノブ１１の表面に光沢のある黒色被膜を形成することは従来困難とされてきた。
【００２２】
そこで、本発明では、ドアノブ１１の表面に前述のＵＢＭスパッタ法を用いてＤＬＣ膜１５を形成する。ＤＬＣ膜１５をドアノブ１１の表面に形成することにより、ＤＬＣ膜１５に特有の光沢のある黒色でドアノブ１１が覆われ、第１の実施形態と同様に見栄えをよくし、商品性を高める効果を有すると共に、ＤＬＣ膜１５は、電気が帯電しにくいため、静電気を防止するという効果もある。
【００２３】
なお、第２の実施形態では、使用時に人体皮膚が接触する物品の一例としてドアノブ１１を用いて説明したが、ドアハンドル（図５）やレバーハンドル（図６）等の表面にＤＬＣ膜１５を形成するようにしてもよい。
【００２４】
本発明は上記の実施形態に限定されずに、その技術的な思想の範囲内において種々の変更がなしうることは明白である。
【産業上の利用可能性】
【００２５】
本発明は、使用時に人体皮膚が接触する物品の着色技術として有用である。
【図面の簡単な説明】
【００２６】
【図１】本発明を適用する眼鏡フレームの外観図である。
【図２】スパッタ法の原理を示す説明図である。
【図３】同じくＵＢＭスパッタ装置の構成図である。
【図４】第２の実施形態としてのドアノブの外観図である。
【図５】ドアハンドルの外観図である。
【図６】レバーハンドルの外観図である。
【符号の説明】
【００２７】
１    フレーム
２    リム
３    ブリッジ
４    ノーズパッド
５    クリングス
６    ヒンジ
７ａ    左テンプル
７ｂ    右テンプル
８    モダン
１１    ドアノブ
【図１】
2009122247.tif 000003
【図２】
2009122247.tif 000004
【図３】
2009122247.tif 000005
【図４】
2009122247.tif 000006
【図５】
2009122247.tif 000007
【図６】
2009122247.tif 000008